(57)【要約】【課題】物品を載置するための載置エリアを構成する載置部材を、予め決められた位置に容易に配置することが可能にする。【解決手段】フィールド内に物品が載置されるゲーム装置において、物品を載置するための景品載置エリアを複数の景品載置部材５０ａ〜５０ｈ，５１を組み合わせて構成し、複数の景品載置部材５０ａ〜５０ｈ，５１をそれぞれ異なる形状とし、それぞれを予め決められた位置において脱着可能に構成した。【選択図】図１
2015077481.tif 000002
【特許請求の範囲】
【請求項１】
フィールド内に物品が載置されるゲーム装置において、
前記物品を載置するための載置エリアを構成するためのそれぞれ異なる形状に形成された複数の載置部材と、
前記複数の載置部材により前記載置エリアが構成されるように前記複数の載置部材を支持する支持部材とを設け、
前記支持部材に、前記複数の載置部材のそれぞれに対して予め決められた位置において装着すると係合する第１の係合部を形成し、
前記複数の載置部材に、予め決められた位置で前記支持部材に設けられた前記第１の係合部と係合する第２の係合部を設け、
前記複数の載置部材のそれぞれを予め決められた位置において脱着可能に構成したことを特徴とするゲーム装置。
【請求項２】
前記支持部材は、第１支持部材と第２支持部材とを含み、
前記複数の載置部材は、前記第１支持部材と前記第２支持部材のそれぞれに装着されることを特徴とする請求項１記載のゲーム装置。
【発明の詳細な説明】
【技術分野】
【０００１】
本発明は、フィールドに景品等の物品が載置されるクレーンゲーム装置等のゲーム装置に関する。
【背景技術】
【０００２】
クレーンゲーム装置等のゲーム装置では、フィールド内に複数の景品が載置される。プレーヤは、ボタンなどを操作することによりクレーンアームの動きを制御して、景品が載置された位置まで移動させた後、景品を掴む、倒す、引き摺るといった動作をさせて景品を景品落とし口まで導くことにより、景品を獲得することができる。
【０００３】
従来では、ゲーム内容に変化させて、プレーヤに飽きられないようにするため、景品落とし口の位置、大きさ、形状を変更することが考えられている。例えば、特許文献１に記載された景品獲得ゲーム装置では、景品載置エリアが複数の景品載置部材により構成され、複数の景品載置部材のレイアウトを変更して開口エリアのレイアウトを変更することができる。
【先行技術文献】
【特許文献】
【０００４】
【特許文献１】特開２００８−２４６２６３号公報
【発明の概要】
【発明が解決しようとする課題】
【０００５】
しかしながら、従来技術では、景品載置部材のレイアウトを変更することができるものの、最大９枚のパネル部材（景品載置部材）を縦３列、横３列のマトリクス状に、それぞれが個別に着脱自在に構成している。すなわち、同形状の景品載置材を複数組み合わせてレイアウトを変更しているため、レイアウトのパターンも限られていた。
【０００６】
また、同形状の景品載置材を使用しているため、何れの景品載置部材も任意の位置に配置することができる。従って、特定の景品載置部材を予め決めた位置に配置する必要があっても、管理者が各景品載置部材の配置場所を十分に把握していなければ、誤った位置に配置してしまう可能性があった。
【０００７】
本発明は前述した事情に考慮してなされたもので、その目的は、物品の載置エリアを構成する載置部材を、予め決められた位置に容易に配置することが可能なゲーム装置を提供することにある。
【課題を解決するための手段】
【０００８】
上記の課題を解決するために、本発明は、フィールド内に物品が載置されるゲーム装置において、前記物品を載置するための載置エリアを構成するためのそれぞれ異なる形状に形成された複数の載置部材と、前記複数の載置部材により前記載置エリアが構成されるように前記複数の載置部材を支持する支持部材とを設け、前記支持部材に、前記複数の載置部材のそれぞれに対して予め決められた位置において装着すると係合する第１の係合部を形成し、前記複数の載置部材に、予め決められた位置で前記支持部材に設けられた前記第１の係合部と係合する第２の係合部を設け、前記複数の載置部材のそれぞれを予め決められた位置において脱着可能に構成したことを特徴とする。
【発明の効果】
【０００９】
本発明によれば、物品の載置エリアを構成する載置部材を、予め決められた位置に容易に配置することが可能となる。
【図面の簡単な説明】
【００１０】
【図１】本実施形態におけるゲーム装置の外観構成を示す斜視図。
【図２】本実施形態におけるゲーム装置の正面図。
【図３】本実施形態におけるクレーンゲーム装置の右側ユニット側から見た側面図。
【図４】上部筐体に設けられた透明板の構成を示す図。
【図５】透明板と錠の近傍の水平断面を示す図。
【図６】他の錠の構造の一例を示す図。
【図７】本実施形態におけるクレーンゲーム装置に設けられた上下傾斜調整機構の主要部分を示す斜視図。
【図８】ロック機構の周辺の構成の詳細を示す図。
【図９】景品フィールドを示す平面図。
【図１０】傾斜枠部材と景品載置部材の詳細な構成を斜視図。
【図１１】図９とは異なる形状による複数の景品載置部材と景品載置部材の例を示す図。
【図１２】図１０とは異なる形状による複数の景品載置部材の例を示す斜視図。
【発明を実施するための形態】
【００１１】
以下、図面を参照して本発明の実施の形態について説明する。  
図１は、本実施形態におけるゲーム装置の外観構成を示す斜視図、図２は、本実施形態におけるゲーム装置の正面図である。本実施形態のゲーム装置は、プレーヤの操作に応じてクレーンアームを制御して、景品を払い出すように動作するクレーンゲーム装置１０を例に示す。図１及び図２に示すクレーンゲーム装置１０は、上部筐体１２と下部筐体１３とから構成されている。上部筐体１２は、前面と側面の一部がガラス板やアクリル板などの透明板１５（開閉部材）により覆われており、透明板１５を通じて筐体内部の景品フィールド１６Ｌ，１６Ｒが視認できるようになっている。透明板１５は、例えば正面側が開閉可能に構成されており、景品フィールド１６Ｌ，１６Ｒへの景品の入れ替えや補充、景品フィールド１６Ｌ，１６Ｒの形態（高さ、傾斜角度等）の変更、あるいは透明板１５の内側に設けられた収納部に収納された設定機器２８を利用する場合等に開放することができる。
【００１２】
本実施形態におけるクレーンゲーム装置１０は、同時に２人のプレーヤがゲームを実施することができるように、２つのゲームユニット（左側ユニット１０Ｌ、右側ユニット１０Ｒ）が搭載されている。２つのゲームユニットの景品フィールド１６Ｌ，１６Ｒは、仕切板（図示せず）によって区分されている。仕切板により区分された２つの景品フィールド１６Ｌ，１６Ｒには、それぞれ景品を積載することができる。
【００１３】
本実施形態におけるクレーンゲーム装置１０では、景品フィールド１６Ｌ，１６Ｒの高さと傾斜角度を変更することができる上下傾斜調整機構が設けられている。上下傾斜調整機構は、景品フィールド１６Ｌ，１６Ｒのそれぞれについて、前方側と後方側の各フィールドについて、個別に高さと傾斜角度を調整することができる。図１及び図２では、右側ユニット１０Ｒにおいて、景品フィールド１６Ｒの前方側と後方側のフィールドの高さが異なるように調整されている例を示している。上下傾斜調整機構の詳細については後述する（図７、図８）。
【００１４】
また、景品フィールド１６Ｌ，１６Ｒには、例えば、複数の景品載置部材を組み合わせてフレームに装着することによって景品を載置することができる景品載置エリアと、景品載置部材を装着しないことにより景品を落下させるための景品落とし口が形成される。景品載置部材の形状や大きさは、フレーム（支持部材）に装着可能であれば任意に決めることができる。また、景品載置部材が容易に脱着可能となるように構成されているため、管理者は、景品載置エリアと景品落とし口を簡単に設定することができる。景品載置エリアと景品落とし口の位置を変更した場合には、管理者は、設定機器２８を用いて、景品載置エリアと景品落とし口の位置に応じて各種の設定をすることができる。詳細については後述する。
【００１５】
なお、景品フィールド１６Ｌ，１６Ｒは、複数の景品載置部材を組み合わせるだけでなく、景品落とし口に相当する穴あるいは角や辺の一部をくり抜いた１枚の景品載置部材を用いて形成することも可能である。また、景品載置部材は、上面部が平面となっている部材とするだけでなく、表面に凹凸や景品を支持するための形状が設けられた部材とすることも可能である。
【００１６】
景品フィールド１６Ｌ，１６Ｒの下方部には、景品フィールド１６Ｌ，１６Ｒから落下した景品を、下部筐体１３の前面側に設けられた景品取出口２１Ｌ，２１Ｒに誘導するための景品誘導空間が設けられている。景品フィールド１６Ｌの下方部に設けられた景品誘導空間は、景品フィールド１６Ｌの前方側フィールドとほぼ全面に対応した広さが設けられており、景品取出口２１Ｌと連通されている。また、景品フィールド１６Ｒの下方部に設けられた景品誘導空間は、景品フィールド１６Ｒの前方側フィールドとほぼ全面に対応した広さが設けられており、景品取出口２１Ｒと連通されている。
【００１７】
左右の景品フィールド１６Ｌ，１６Ｒの上方には、プレーヤ操作に応じて動作が制御されるクレーンアーム１８Ｌ，１８Ｒが装着されている。上部筐体１２内の景品フィールド１６Ｌ，１６Ｒの上方には、それぞれクレーンアーム１８Ｌ，１８Ｒを、例えばＸ軸方向、Ｙ軸方向、及びＺ軸方向（上下方向）に移動させるためのクレーン機構部（図示せず）が設けられている。クレーン機構部は、ボタン２４Ｌ，２４Ｒへのプレーヤ操作に応じて制御される。
【００１８】
クレーンアーム１８Ｌ，１８Ｒの先端部には、景品を把持するための２本のアーム１８Ｌａ，１８Ｒａ（把持爪）が設けられている（なお、３本あるいは４本のアームを設けても良い）。アーム１８Ｌａ，１８Ｒａは、クレーンアーム１８が下降されて景品に到達した位置で、閉じる（物を把持する）ように動作が制御される。
【００１９】
下部筐体１３の正面側には、景品取出口２１Ｌ，２１Ｒやプレーヤによって操作が行われるコンパネ（コントロールパネル）部２３Ｌ，２３Ｒが設けられている。  
景品取出口２１Ｌ，２１Ｒは、筐体内（景品フィールド）から景品を外部に取り出すためのもので、景品フィールド１６Ｌ，１６Ｒの下方部に設けられた景品誘導空間と連通している。クレーンアーム１８Ｌ，１８Ｒを動作させることにより景品が景品落とし口に落下されることにより、景品取出口２１Ｌ，２１Ｒから景品を取り出すことができる。
【００２０】
コンパネ部２３Ｌ，２３Ｒには、クレーンアーム１８Ｌ，１８Ｒを動作させるためにプレーヤにより操作される複数のボタン２４Ｌ，２４Ｒ、プレイ料金とするコインが投入されるコイン投入口２６Ｌ，２６Ｒ、プレイ料金や投入されたコインに応じた残りプレイ回数を表示するための表示装置２７Ｌ，２７Ｒ（例えば７セグ表示器）等が設けられている。また、ゲーム実行中の効果音や音楽、メッセージ音声などを出力するためのスピーカ４９が設けられている。
【００２１】
また、本実施形態におけるクレーンゲーム装置１０には、管理者がクレーンゲーム装置１０に対して各種設定をするための設定機器２８が設けられている。設定機器２８は、クレーンゲーム装置１０の本体筐体から着脱可能な可搬型に構成されている。図１に示す設定機器２８は、透明板１５の内側に設けられた収納部に収納された状態を示している。設定機器２８は、各種設定のための操作をする場合には、収納部から取り出して、クレーンゲーム装置１０と近接した位置で手に保持した状態で取り扱うことができる。設定機器２８は、クレーンゲーム装置１０の筐体内に収納された制御ユニットと、例えばケーブルを介して接続されている。なお、設定機器２８は、有線によって制御ユニットと接続される構成とするだけでなく、無線通信（無線ＬＡＮ（Local Area Network）など）によって接続される構成とすることも可能である。設定機器２８は、左側ユニット１０Ｌと右側ユニット１０Ｒのそれぞれに対する各種設定を個別にすることができる。
【００２２】
図３は、本実施形態におけるクレーンゲーム装置１０の右側ユニット１０Ｒ側から見た側面図である。  
図３に示すように、景品フィールド１６Ｒは、前方側の景品フィールド３２と後方側の景品フィールド３５とに分かれており、個別に上下傾斜調整機構によって上下位置、傾斜角度を調整することができる。図３に示す例では、前方側２／３の範囲が景品フィールド３２、後方側１／３の範囲が景品フィールド３５となっている。
【００２３】
景品フィールド３２に対応する上下傾斜調整機構には、垂直支持部材３１と、景品フィールド３２を垂直支持部材３１に固定するためのロック機構３３が含まれている。また、景品フィールド３５に対する上下傾斜調整機構には、垂直支持部材３４と、景品フィールド３５を垂直支持部材３４に固定するためのロック機構３６が含まれている。
【００２４】
また、上下傾斜調整機構には、管理者が景品フィールド３２，３５の位置を調整する作業をアシストするためのアシスト機構が設けられている。アシスト機構は、垂直支持部材３１，３４に内挿されたバネによって景品フィールド３２，３５を引き上げるように作用させることにより、管理者が景品フィールド３２，３５の高さ調整をする際に、景品フィールド３２，３５の全重量が管理者にかからないようにする。これにより、景品フィールド３２，３５の高さ調整の作業を、腕力がない管理者であっても容易に実施できるようにしている。
【００２５】
なお、図３に示す構成において、左側ユニット１０Ｌと右側ユニット１０Ｒでは、垂直支持部材３１が設けられている前面からの位置が異なっている。図３に示す垂直支持部材３１ａは、左側ユニット１０Ｌの左側に配置されたもので、縦方向に設けられたスリットから内挿されたバネが見えていることを表している。
【００２６】
図４は、上部筐体１２に設けられた透明板１５Ｌ，１５Ｒの構成を示す図である。  
図４に示すように、上部筐体１２には、例えば２枚の透明板１５Ｌ，１５Ｒが左右にスライド可能に設けられている。上部筐体１２の透明板１５Ｌ，１５Ｒの設置位置には、透明板１５Ｌ，１５Ｒをスライド可能に保持するためのレールが形成されている。
【００２７】
上部筐体１２の前面左側に配設された柱１２Ｌには、透明板１５Ｌをロックするための錠１２Ｌａが設けられている。柱１２Ｌの透明板１５Ｌと相対する面には、透明板１５Ｌに装着されたロック受け部材１７Ｌを、柱１２Ｌの内部にまで挿入させるための挿入穴１２Ｌｂが設けられている。
【００２８】
一方、上部筐体１２の前面右側に配設された柱１２Ｒには、透明板１５Ｒをロックするための錠１２Ｒａが設けられている。柱１２Ｒの透明板１５Ｒと相対する面には、透明板１５Ｒに装着されたロック受け部材１７Ｒを、柱１２Ｒの内部にまで挿入させるための挿入穴（図示せず）が設けられている。
【００２９】
図４は、錠１２Ｌａ，１２Ｌｂを外し、透明板１５Ｌと透明板１５Ｒをそれぞれ僅かにスライド（開放）させた状態を示している。ロック受け部材１７Ｌ，１７Ｒの先端部は、錠１２Ｌａ，１２Ｌｂと係合されるように鉤状（あるいは切り欠き状）になっている。また、ロック受け部材１７Ｌ，１７Ｒは、透明板１５Ｌ，１５Ｒに対して両面から挟み込むようにして装着されており、透明板１５Ｌ，１５Ｒの面よりも僅かに厚くなっている。ロック受け部材１７Ｌ，１７Ｒの透明板１５Ｌ，１５Ｒの面からの厚さは、透明板１５Ｌ，１５Ｒが相対する面の間隔よりも薄くなっている。従って、ロック受け部材１７Ｌ，１７Ｒの装着された部分が、相対する透明板１５Ｌ，１５Ｒと重なり合う位置まで、透明板１５Ｌ，１５Ｒを互いにスライドさせることができる。
【００３０】
図５（ａ）は、透明板１５Ｌ，１５Ｒが錠１２Ｌａ，１２Ｒａによりロックされた状態を示す水平断面を示す図である。  
透明板１５Ｌのロック受け部材１７Ｌは、挿入穴１２Ｌｂに挿入されている。錠１２Ｌａは、所定の鍵が挿入されて回転されることにより、柱１２Ｌの内部に設けられた係止部１２Ｌｃが回転し、ロック受け部材１７Ｌの先端の鉤状（切り欠き状）になった部分と係合する。これにより、透明板１５Ｌはロック（固定）される。
【００３１】
同様にして、透明板１５Ｒのロック受け部材１７Ｒは、挿入穴１２Ｒｂに挿入されている。錠１２Ｒａは、所定の鍵が挿入されて回転されることにより、柱１２Ｒの内部に設けられた係止部１２Ｒｃが回転し、ロック受け部材１７Ｒの先端の鉤状（切り欠き状）になった部分と係合する。これにより、透明板１５Ｒはロック（固定）される。
【００３２】
図５（ａ）に示すように、透明板１５Ｌ，１５Ｒがロックされた状態、すなわち通常のプレーヤによりクレーンゲーム装置１０が使用される状態では、透明板１５Ｌ，１５Ｒのそれぞれの端部が、ほぼ中央において重なり合っている。
【００３３】
図５（ｂ）は、ロック受け部材１７Ｌ，１７Ｒの装着された部分が、相対する透明板１５Ｌ，１５Ｒと重なり合う位置まで、透明板１５Ｌ，１５Ｒを互いにスライドさせた状態を示している。図６に示す位置まで透明板１５Ｌ，１５Ｒをスライドさせることにより、図５（ａ）において重なり合っていた部分が露出されている。従って、透明板１５Ｌ，１５Ｒの互いに重なりあっていた部分を清掃することができる。
【００３４】
この部分は、透明板１５Ｌ，１５Ｒをロックした場合に、図５に示すように、クレーンゲーム装置１０のほぼ中央に位置するため、汚れていたりするとプレーヤがフィールド内を見る際に妨げとなったり、不快感を与えてしまうおそれがある。本実施形態のクレーンゲーム装置１０では、透明板１５Ｌ，１５Ｒが汚れたとしても、通常、重なり合っている部分についても簡単に清掃作業をすることができるため、常時、プレーヤに対してゲームを楽しむための良好な状態を提供することができる。
【００３５】
なお、図５（ａ）（ｂ）に示す錠１２Ｌａ，１２Ｒａのように、係止部１２Ｌｃ，１２Ｒｃが回転することでロック受け部材１７Ｌ，１７Ｒに係合する構造に限るものでなく、図６に示すような、他の錠の構造を用いることも可能である。
【００３６】
図６（ａ）（ｂ）に示す錠１２Ｒａは、鍵が挿入されて回転されることにより、柱１２Ｌの内部に設けられた連結部材１２Ｒｄがスライドすることによって、ロック受け部材１７Ｒと係合するように構成したものである。図６（ａ）は、連結部材１２Ｒｄがスライドして、連結部材１２Ｒｄの先端部１２Ｒｅがロック受け部材１７Ｒの鉤状（切り欠き状）になった部分と係合した状態を示している（ロックされた状態）。また、図６（ｂ）は、図６（ａ）に示す状態において、鍵が挿入されて回転されることにより、連結部材１２Ｒｄがスライドして先端部１２Ｒｅがロック受け部材１７Ｒの鉤状（切り欠き状）から外れた状態を示している。なお、錠１２Ｌａも同様の構成であるものとして説明を省略する。
【００３７】
図６（ａ）（ｂ）に示すように、鍵の回転により連結部材１２Ｒｄをスライドさせる構造とすることにより、図５（ａ）（ｂ）に示す形態よりも、錠１２Ｌａ，１２Ｒａを収容するためのスペース（奥行き）が少なくて済む。
【００３８】
図７は、本実施形態におけるクレーンゲーム装置１０に設けられた上下傾斜調整機構の主要部分を示す斜視図である。図７は、例えば左側ユニット１０Ｌに設けられた上下傾斜調整機構として説明する。右側ユニット１０Ｒに設けられた上下傾斜調整機構も同様の構成を有するものとして説明を省略する。
【００３９】
図７に示すように、前方側の景品フィールド３２に対応する上下傾斜調整機構には、左側の垂直支持部材３１Ｌと右側の垂直支持部材３１Ｒが設けられている。垂直支持部材３１Ｌには、ロック機構３３Ｌが上下方向に摺動可能となるように装着されている。同様にして、垂直支持部材３１Ｒには、ロック機構３３Ｒが上下方向に摺動可能となるように装着されている。ロック機構３３Ｌ，３３Ｒの底部には、水平枠部材３８が固定されている。水平枠部材３８は、後述する後方側の景品フィールド３５に対応する上下傾斜調整機構に設けられた水平枠部材４２と共に矩形枠を形成する。水平枠部材３８は、前方側の景品フィールド３２の外周枠を形成しており、枠内に景品載置部材が配置されることにより景品載置エリアを形成する。
【００４０】
水平枠部材３８は、ロック機構３３Ｌ，３３Ｒと固定されているため、ロック機構３３Ｌ，３３Ｒが垂直支持部材３１Ｌ，３１Ｒに沿って上下方向に摺動されるのに伴って上下方向に移動する。これにより、景品フィールド３２の高さを調整することができる。
【００４１】
ロック機構３３Ｌ，３３Ｒは、それぞれに設けられたロックスイッチ３３Ｌａ，３３Ｒａをオフすることによりロックが外れて上下方向に移動させることができ、オンすることによりロックされて位置が固定される。
【００４２】
水平枠部材３８の下部には、垂直支持部材３１Ｌに沿って支持部材４０Ｌが取り付けられ、垂直支持部材３１Ｒに沿って支持部材４０Ｒが取り付けられている。支持部材４０Ｌ，４０Ｒは、水平枠部材３８をロック機構３３Ｌ，３３Ｒと一体化させると共に、上下方向の摺動時や景品フィールド３２に景品を載置しても安定するように支持するための部材である。なお、図７に示す上下傾斜調整機構では、水平枠部材３８を下から支持部材４０Ｌ，４０Ｒによって支えているが、水平枠部材３８の上側に支持部材４０Ｌ，４０Ｒの代わりに同様の目的を持った部材を取り付けた構成としても良い。
【００４３】
水平枠部材３８の内側には、垂直支持部材３１Ｌ，３１Ｒの近傍に設けられた回転軸を介して、回動可能な状態で傾斜枠部材３９が取り付けられている。傾斜枠部材３９は、回転軸によって任意に傾斜角度を変更させることができる。また、水平枠部材３８に設けられた回転軸の近傍には、水平枠部材３８と傾斜枠部材３９とを固定する枠部材ロック機構４１Ｌ，４１Ｒが設けられている。枠部材ロック機構４１Ｌ，４１Ｒは、傾斜枠部材３９を任意の角度で傾斜させた状態で水平枠部材３８と固定することにより、傾斜した状態を維持する。
【００４４】
なお、図７においては、上下傾斜調整機構の詳細な構成を図示するために図示を省略しているが、傾斜枠部材３９は、景品載置エリアを形成するために、複数の景品載置部材を装着するための支持部材として使用される。傾斜枠部材３９は、支持部材の外周枠を構成しており、例えば景品載置部材の形状（サイズ等）に合わせた他の支持部材を、さらに装着することが可能である。支持部材に装着される景品載置部材の詳細な構成については後述する（図９〜図１２）。
【００４５】
図７に示すように、後方側の景品フィールド３５に対応する上下傾斜調整機構は、前方側の景品フィールド３２に対応する上下傾斜調整機構と同様の構成を有している。すなわち、後方側の上下傾斜調整機構は、左側の垂直支持部材３４Ｌと右側の垂直支持部材３４Ｒが設けられ、ロック機構３６Ｌ，３６Ｒがそれぞれ上下方向に摺動可能となるように装着されている。ロック機構３６Ｌ，３６Ｒの底部には、水平枠部材４２が固定されている。水平枠部材４２は、前方側の景品フィールド３２に対応する水平枠部材３８と共に矩形枠を形成する。水平枠部材４２は、後方側の景品フィールド３５の外周枠を形成しており、枠内に景品載置部材が配置されることにより景品載置エリアを形成する。
【００４６】
水平枠部材４２は、ロック機構３６Ｌ，３６Ｒと固定されているため、ロック機構３６Ｌ，３６Ｒが垂直支持部材３４Ｌ，３４Ｒに沿って上下方向に摺動されるのに伴って上下方向に移動する。これにより、景品フィールド３５の高さを調整することができる。
【００４７】
ロック機構３６Ｌ，３６Ｒは、それぞれに設けられたロックスイッチ３６Ｌａ，３６Ｒａをオフすることによりロックが外れて上下方向に移動させることができ、オンすることによりロックされて位置が固定される。
【００４８】
水平枠部材４２の下部には、垂直支持部材３４Ｌに沿って支持部材４４Ｌが取り付けられ、垂直支持部材３４Ｒに沿って支持部材４４Ｒが取り付けられている。支持部材４４Ｌ，４４Ｒは、水平枠部材４２をロック機構３６Ｌ，３６Ｒと一体化させると共に、上下方向の摺動時や景品フィールド３５に景品を載置しても安定するように支持するための部材である。なお、図７に示す上下傾斜調整機構では、水平枠部材４２を下から支持部材４４Ｌ，４４Ｒによって支えているが、水平枠部材４２の上側に支持部材４４Ｌ，４４Ｒの代わりに同様の目的を持った部材を取り付けた構成としても良い。
【００４９】
水平枠部材４２の内側には、垂直支持部材３４Ｌ，３４Ｒの近傍に設けられた回転軸を介して、回動可能な状態で傾斜枠部材４３が取り付けられている。傾斜枠部材４３は、回転軸によって任意に傾斜角度を変更させることができる。また、水平枠部材４２に設けられた回転軸の近傍には、水平枠部材４２と傾斜枠部材４３とを固定する枠部材ロック機構４５Ｌ，４５Ｒが設けられている。枠部材ロック機構４５Ｌ，４５Ｒは、傾斜枠部材４３を任意の角度で傾斜させた状態で水平枠部材４２と固定することにより、傾斜した状態を維持する。
【００５０】
なお、図７においては、上下傾斜調整機構の詳細な構成を図示するために図示を省略しているが、傾斜枠部材４３は、景品載置エリアを形成するために、複数の景品載置部材を装着するための支持部材として使用される。傾斜枠部材４３は、支持部材の外周枠を構成しており、例えば景品載置部材の形状（サイズ等）に合わせた他の支持部材を、さらに装着することが可能である。また、傾斜枠部材４３には１つの景品載置部材を装着するようにしても良い。
【００５１】
図８は、ロック機構３３Ｒとロック機構３６Ｒの周辺の構成の詳細を示す図である。  
図８において、前方側の上下傾斜調整機構のロック機構３３Ｒは、ロックスイッチ３３Ｒａがオンされた状態にある。すなわち、水平枠部材３８がロック機構３３Ｒを介して垂直支持部材３１Ｒに固定された状態にある。ロックスイッチ３３Ｒａがオンされることにより、ロック機構３３Ｒの内部に設けられた係合部材が垂直支持部材３１Ｒに設けられた係合穴（図示せず）に係合することによりロックすることができる。
【００５２】
一方、後方側の上下傾斜調整機構のロック機構３６Ｒは、ロックスイッチ３６Ｒａがオフされた状態にある。すなわち、水平枠部材４２が移動可能な状態となっており、管理者が水平枠部材３８を持って上下に移動させて位置を調整することができる状態にある。ロックスイッチ３６Ｒａがオフされることにより、ロック機構３６Ｒの内部に設けられた係合部材が垂直支持部材３４Ｒに設けられた係合穴（図示せず）から抜けてロックを外すことができる。
【００５３】
次に、本実施形態における景品フィールド１６Ｌ，１６Ｒの構成について説明する。  
本実施形態における景品フィールド１６Ｌ，１６Ｒは、複数の景品載置部材を組み合わせて配置することにより、景品載置エリアと景品落とし口のレイアウトを任意に変更することができる。
【００５４】
図９は、一方のユニット（左側ユニット１０Ｌあるいは右側ユニット１０Ｒ）の景品フィールド１６を示す平面図である。図９は、景品フィールド１６に使用可能な全ての景品載置部材を装着した状態を示すもので景品落とし口は設けられていない。景品落とし口は、何れかの景品載置部材を外すことにより設けられる。通常、前方側のフィールド（景品フィールド３２）の何れかに景品落とし口が設けられる。
【００５５】
図９に示すように、前方側の景品フィールド３２には、複数の景品載置部材５０ａ，５０ｂ，５０ｃ，５０ｄ，５０ｅ，５０ｆ，５０ｇ，５０ｈを配設することができる。また、後方側の景品フィールド３５には、１つの景品載置部材５１を配設することができる。図９に示すように、複数の景品載置部材５０ａ〜５０ｈ，５１は、それぞれ異なる形状となっている。すなわち、サイズや外周の形状がそれぞれ異なっている。外周には、凸部や凹部が形成されており、その配置も景品載置部材毎に異なっている。凸部や凹部は、傾斜枠部材３９，４３や隣接する他の景品載置部材に設けられた凹部や凸部と係合する係合部（第２の係合部）として作用する。
【００５６】
また、傾斜枠部材３９，４３には、景品載置部材の外枠の形状に合わせた係合部（第１の係合部）が形成されている。景品載置部材５０ａ〜５０ｈ，５１に設けられた係合部の形状がそれぞれ異なっているため、傾斜枠部材３９，４３に設けられる係合部も、それぞれの景品載置部材５０ａ〜５０ｈ，５１に合わせて構成されている。
【００５７】
図１０は、傾斜枠部材３９と景品載置部材５０ａ〜５０ｈ，５１の詳細な構成を斜視図である。図１０では、景品載置部材５０ａを取り外して、係合部の詳細な構成を示している。  
景品載置部材５０ａに示すように、各景品載置部材５０ａ〜５０ｈ，５１は、平面を形成する上面部と、上面部の外周に沿って下部に設けられた基底部によって構成されている。景品載置部材５０ａには、例えば係合部６０，６２が構成されている。係合部６０は、傾斜枠部材３９に設けられた係合部７２と係合する形状となっている。また、係合部６２は、隣接して配置される景品載置部材５０ｂに設けられた係合部６７と係合する形状となっている。
【００５８】
また、景品載置部材５０ａの基底部には、複数の切り欠き部６５が設けられている。切り欠き部６５は、景品載置部材５０ａを傾斜枠部材３９に装着する際に、傾斜枠部材３９あるいは隣接する景品載置部材５０ｃに対して水平方向にネジ止めされている化粧ビス７０に差し込まれる。化粧ビス７０は、景品載置部材５０ａが載置された後に締めることにより、景品載置部材５０ａを固定することができる。
【００５９】
このようにして、複数の景品載置部材５０ａ〜５０ｈ，５１の形状が全て異なっているため、それぞれが決められた位置にのみ装着することが可能となる。従って、クレーンゲーム装置１０の管理者は、景品落とし口や景品載置エリアの配置を変更するために、景品載置部材５０ａ〜５０ｈ，５１の脱着を頻繁に繰り返すような場合に、各景品載置部材５０ａ〜５０ｈ，５１が何れの位置に配置すべきかを記憶していなくても、それぞれを予め決められた位置に容易に配置することが可能となる。
【００６０】
複数の景品載置部材５０ａ〜５０ｈ，５１によって形成される景品載置エリアに、例えば絵柄などが記載されている場合には、景品載置部材５０ａ〜５０ｈ，５１を予め決めた位置に配置しなければ正しい絵柄にすることができない。本実施形態のクレーンゲーム装置１０では、景品載置部材５０ａ〜５０ｈ，５１に記載された絵柄だけでは、何れに配置すべきか認識できないとしても、それぞれの形状によって配置可能な位置が特定されるため効率良く作業することができる。
【００６１】
また、景品載置エリアに絵柄が記載される場合だけでなく、景品載置部材５０ａ〜５０ｈ，５１の上面の材質や形状が特定のものとして、景品フィールドの特定の位置に常に配置したい場合などにおいても、管理者がその位置を十分に把握していなくても、容易に正しい位置に配置することができる。
【００６２】
図１１は、図９とは異なる形状による複数の景品載置部材８０ａ，８０ｂ，８０ｃ，８０ｄ，８０ｅ，８０ｆ，８０ｇ，８０ｈと、景品載置部材５１ａ，５１ｂの例を示している。図１１に示すように、複数の景品載置部材８０ａ〜８０ｈ，５１ａ，５１ｂは、それぞれ異なる形状となっている。ただし、図１１に示す例では、傾斜枠部材３９，４３に係合部を形成しておらず、各景品載置部材８０ａ〜８０ｈ，５１ａ，５１ｂの傾斜枠部材３９，４３と相対する部分にも、図９及び図１０に示すような係合部が設けられていない。
【００６３】
景品載置部材８０ａ〜８０ｈ，５１ａ，５１ｂには、互いに隣接する景品載置部材と係合するように係合部が形成されている。景品載置部材８０ａ〜８０ｈ，５１ａ，５１ｂの外周には、隣接する景品載置部材と相対する辺部にのみ凸部や凹部が形成されており、その配置も景品載置部材毎に異なっている。
【００６４】
このようにして、傾斜枠部材３９，４３に係合部が形成されていない場合であっても、隣接する景品載置部材同士のみで係合するように係合部を形成することにより、景品載置部材８０ａ〜８０ｈ，５１ａ，５１ｂのそれぞれを配置すべき位置を特定することが可能となる。
【００６５】
図１２は、図１０とは異なる形状による複数の景品載置部材９０ａ，９０ｂ，９０ｃ，９０ｄの例を示す斜視図である。  
図９〜図１１に示す景品載置部材では、平面部と基底部とにより係合部を形成しているが、図１２に示す構成では、上面部周辺には係合部を設けず、基底部においてのみ係合部を形成している。
【００６６】
例えば、景品載置部材９０ａの基底部には、景品載置部材９０ｂと相対する辺に係合部９２が形成されており、景品載置部材９０ｃと相対する辺に係合部９３が形成されている。同様にして、景品載置部材９０ａの基底部には、傾斜枠部材３９と相対する辺に係合部（図示せず）が形成されている。
【００６７】
傾斜枠部材３９には、景品載置部材９０ａの基底部に設けられた係合部と係合する位置に係合部９６が形成されている。また、景品載置部材９０ｂ，９０ｃの基底部にも同様にして、係合部９２，９３と係合する係合部がそれぞれ設けられている。各景品載置部材９０ａ…の基底部に設けられた係合部は、それぞれ形状や配置が異なっており、予め決められた特定の位置に景品載置部材９０ａ…が配設された場合にのみ、隣接する景品載置部材の係合部と係合するようになっている。
【００６８】
このようにして、景品載置部材９０ａ…の基底部のみに隣接する景品載置部材同士のみで係合するように係合部を形成することにより、景品載置部材９０ａ…のそれぞれを配置すべき位置を特定することが可能となる。また、景品載置部材９０ａ…の平面部の周辺に凹凸がないため、複数の景品載置部材を組み合わせた景品載置エリアの美観を向上させることができる。
【００６９】
なお、複数の景品載置部材の何れかを外すことにより、任意の位置に景品落とし口を変更することができる。クレーンゲーム装置１０は、筐体内部に収容された制御ユニット（プロセッサ、メモリ等を含む）によって制御されており、この制御ユニットに対して変更後の景品落とし口の位置を設定することで、クレーンアーム１８Ｌ，１８Ｒを景品落とし口に合わせて動作させることができる。クレーンゲーム装置１０の管理者は、複数の景品載置部材の組合せにより景品載置エリアと景品落とし口をレイアウトした後、設定機器２８を用いて、新たなレイアウトに合わせてクレーンアーム１８Ｌ，１８Ｒが制御されるように各種設定操作をすれば良い。
【００７０】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
１０…クレーンゲーム機、１２…上部筐体、１３…下部筐体、１５…透明板、１６Ｌ，１６Ｒ…景品フィールド、１８Ｌ，１８Ｒ…クレーンアーム、２１Ｌ，２１Ｒ…景品取出口、２３Ｌ，２３Ｒ…コンパネ部、２４Ｌ，２４Ｒ…ボタン、２６Ｌ，２６Ｒ…コイン投入口、３９，４３…傾斜枠部材、５０ａ〜５０ｈ，５１…景品載置部材。
【図１】
2015077481.tif 000003
【図２】
2015077481.tif 000004
【図３】
2015077481.tif 000005
【図４】
2015077481.tif 000006
【図５】
2015077481.tif 000007
【図６】
2015077481.tif 000008
【図７】
2015077481.tif 000009
【図８】
2015077481.tif 000010
【図９】
2015077481.tif 000011
【図１０】
2015077481.tif 000012
【図１１】
2015077481.tif 000013
【図１２】
2015077481.tif 000014